(57)【要約】【課題】鍵の取り出し時に鍵の保管窓番号に対応する部屋の階床へのエレベータのかご呼びが自動で行えるキーボックス装置を得る。【解決手段】建物内の複数の部屋の鍵２ａ〜２ｎを個別に保管する鍵保管窓３ａ〜３ｎを有し、利用者が入力した個人識別情報および鍵保管窓番号が予めメモリ７に記憶しているデータと一致すれば対応する鍵保管窓３が開き、鍵２の取り出しと収納を可能とするキーボックス装置において、利用者が鍵２を取り出す操作に連動し、予め鍵保管窓番号に対応する部屋番号と階床番号とを記憶するメモリ８から、利用者の鍵保管窓番号に対応する部屋の階床番号を抽出し、建物内のエレベータシステムに設けられた行先階登録装置９に伝え、エレベータのかごを自動で呼び出すように構成した。【選択図】図１
2005082309.tif 000002
【特許請求の範囲】
【請求項１】
建物内の複数の部屋の鍵を個別に保管する鍵保管窓を有し、利用者が入力した個人識別情報および鍵保管窓番号が予めメモリに記憶されているデータと一致すれば対応する鍵保管窓が開き、鍵の取り出しまたは収納を可能とするキーボックス装置において、上記建物内のエレベータシステムに設けられた行先階登録装置との間でデータを送受するエレベータＩ／Ｆと、予め上記鍵保管窓番号に対応する部屋番号および階床番号を記憶するメモリとを備え、上記利用者が鍵を取り出す操作に連動し、上記エレベータＩ／Ｆを通じエレベータを呼ぶと共に、上記利用者の鍵保管窓番号に対応する部屋の階床番号を行先階番号として上記行先階登録装置に登録することを特徴とするキーボックス装置。
【請求項２】
請求項１記載のキーボックス装置において、上記建物内の監視区域に設置されたカメラとの間でデータを送受するカメラＩ／Ｆと、上記カメラの映像を表示する表示器とを備え、上記利用者が鍵の取り出しまたは収納の操作時に、対応する部屋または利用するエレベータの上記監視区域の映像を選択して上記表示器に表示することを特徴とするキーボックス装置。
【請求項３】
請求項１記載のキーボックス装置において、上記建物内の監視区域に設置されＬＡＮで接続されたネットワークカメラとの間でデータを送受するＬＡＮＩ／Ｆと、上記ネットワークカメラの映像を表示する表示器とを備え、上記利用者が鍵の取り出しまたは収納の操作時に、対応する部屋または利用するエレベータの上記監視区域の映像を選択して上記表示器に表示することを特徴とするキーボックス装置。
【発明の詳細な説明】
【技術分野】
【０００１】
この発明は、防犯等を目的として建物内の複数の部屋の鍵を保管するキーボックス装置に関するものである。
【背景技術】
【０００２】
従来のキーボックス装置を用いたビルの防犯鍵管理盤に関する技術としては、例えば、ブロックごとのキーを対応するキー収納ボックスに収納することによって機械警備体制に入る防犯鍵管理盤において、キー収納ボックスに対応して複数種のセンサの発報状態を入力する端子部と、センサの状態を音声または可視により表示する表示部と、ＩＤカードを読み込ませるリーダ部と、キー収納ボックス番号を指定するテンキー部と、カードリーダ部とテンキー部とセンサとの入力によってキー収納ボックスへのキーの取出しおよび収納を制御しＩＤカードの登録ならびにキー収納ボックスの操作内容をプリントアウトさせる制御部とを備えて構成され、キーを借り出す場合は、カードリーダ部にＩＤカードを読み込ませテンキーからブロック番号を入力すると入力が正しければキー収納ボックスが開き、また、キーを返却するときは、いずれかのセンサが発報状態であれば発報中のセンサを知らせることにより警備追跡を容易にするような防犯鍵管理盤が示されている（例えば、特許文献１参照）。
【０００３】
【特許文献１】特開昭６４−４８９７号公報（第２頁、第１図）
【発明の開示】
【発明が解決しようとする課題】
【０００４】
従来のキーボックス装置は以上のように構成されているので、例えばエレベータを備えた中，高層ビルのビル管理装置に利用する場合、利用者が鍵を取り出して自分の部屋へ行くときに、エレベータホールでエレベータの待ち時間が発生し、その間に不審者と出会ったり、エレベータ乗車中に途中から不審者が乗り込んでくる可能性があった。また、エレベータの乗り場、かご内、行先階階床、部屋の入り口周辺に不審者がいても気づかず事故に会う場合があった。さらに、マンション等では、施錠後、鍵の保管時に部屋の中の火元等の処理が万全であったか気になるなど利用者の不安感が発生する問題点があった。
【０００５】
この発明は、上記のような問題点を解消するためになされたもので、鍵の取り出し時に鍵保管窓番号に対応する部屋の階床へのエレベータのかご呼びが自動で行えるキーボックス装置を得ることを目的とする。
また、鍵の取り出しまたは収納時に、鍵保管窓番号に対応する部屋の内外または利用するエレベータ内外の状況を監視して、利用者の不安感を少なくするキーボックス装置を得ることを目的とする。
【課題を解決するための手段】
【０００６】
この発明に係わるキーボックス装置は、建物内の複数の部屋の鍵を個別に保管する鍵保管窓を有し、利用者が入力した個人識別情報および鍵保管窓番号が予めメモリに記憶しているデータと一致すれば対応する鍵保管窓が開き、鍵の取り出しまたは収納を可能とするキーボックス装置において、建物内のエレベータシステムに設けられた行先階登録装置との間でデータを送受するエレベータＩ／Ｆと、予め鍵保管窓番号に対応する部屋番号および階床番号を記憶するメモリとを備え、利用者が鍵を取り出す操作に連動し、エレベータＩ／Ｆを通じエレベータを呼ぶと共に、利用者の鍵保管窓番号に対応する部屋の階床番号を行先階番号として行先階登録装置に登録するように構成したものである。
【発明の効果】
【０００７】
この発明のキーボックス装置によれば、利用者が個人識別情報と鍵保管窓番号を入力し鍵保管窓から部屋の鍵を取り出すと、鍵保管窓番号に対応する部屋の階床をエレベータＩ／Ｆを通じエレベータの行先階登録装置に登録しエレベータを自動で呼び出すことができるので、エレベータホールでの待ち時間が無くなる。
【発明を実施するための最良の形態】
【０００８】
実施の形態１．
図１はこの発明の実施の形態１によるキーボックス装置の構成を示すブロック図である。図において、キーボックス装置全体はＣＰＵ１によって制御されおり、このキーボックス装置が管理する建物内の複数の部屋の鍵２ａ〜２ｎを保管するために、それらの鍵に対応して個別に設けられた鍵保管窓３ａ〜３ｎと、鍵保管窓３ａ〜３ｎとＣＰＵ１とを接続しデータを送受する鍵保管窓Ｉ／Ｆ４と、テンキー等からなる入力手段５と、鍵の保管状況および操作ガイダンス等を表示する表示器６と、利用者の個人識別情報であるＩＤ番号と鍵保管窓番号とを格納するメモリＡ７とを有し、更に、鍵保管窓番号に対する部屋番号および階床番号を格納するメモリＢ８と、このキーボックス装置が管理する建物内に設置されたエレベータシステムに設けられているエレベータ行先階登録装置９とキーボックス装置との間でデータを送受するエレベータＩ／Ｆ１０とを備えて構成されている。
【０００９】
次に、動作について説明する。鍵を取り出す場合は、利用者は表示器６の操作ガイダンスに従い入力手段５のテンキーからＩＤ番号を入力する。ＣＰＵ１はこの入力データとメモリＡ７内に予め記憶されている利用者のＩＤ番号とを比較判別し、一致していれば次の操作を許可する。次に、利用者は鍵保管窓番号を入力し、入力が正しければ鍵保管窓３ａ〜３ｎの該当する番号の鍵保管窓が開き鍵を取り出すことができる。鍵の取り出しにより、表示器６には取り出した鍵保管窓内の鍵保管状態として「鍵無」の表示がされる。
【００１０】
利用者が該当する鍵保管窓から鍵２を取り出す操作に連動し、メモリＢ８内に予め記憶されている鍵２の鍵保管窓番号に対応した部屋の階床番号を、エレベータＩ／Ｆ１０によりエレベータシステム内のエレベータ行先階登録装置９に伝えエレベータを自動で呼び出すと共に、この部屋の階床番号を行先階としてエレベータ行先階登録装置９に自動で登録する。
【００１１】
鍵収納時は、利用者が表示器６の操作ガイダンスに従い入力手段５によりＩＤ番号を入力し、ＣＰＵ１がメモリＡ７内の利用者ＩＤ番号と比較判別し、一致していれば次に鍵保管窓番号を入力して該当する鍵保管窓３を開き鍵を収納することができる。鍵の収納により表示器６は収納した鍵保管窓内の鍵保管状態として「鍵有」の表示をする。
【００１２】
以上のように、実施の形態１におけるキーボックス装置によれば、利用者が個人識別データと鍵保管窓番号とを入力し鍵保管窓から鍵を取り出すと、鍵保管窓番号に対応する部屋の階床番号をエレベータＩ／Ｆを通じエレベータ行先階登録装置に伝えてエレベータを呼ぶと共に、鍵に対応する部屋の階床番号を行先階としてエレベータ行先階登録装置に自動登録するようにしたので、目的の鍵を取り出すと、目的の階床を選定しエレベータを自動で呼ぶことができる。従って、利用者が鍵を取り出したとき、エレベータの待ち時間が無いので不審者と出会う可能性が低くなり、また、エレベータを利用者専用の特定運転モードとすれば、エレベータ乗車中に途中から不審者が乗り込んでくるのを防止でき、安全性が向上する。
【００１３】
なお、入力手段５はテンキーとして説明したが、テンキー以外に、ＩＤカードリーダを用いてＩＤカードを読み込んだり、指紋検出器で指紋を読み取るようにしても良い。
また、表示器６は操作ガイダンスや鍵の保管状況を表示するものとして説明したが、操作ガイダンスは別途表示板に表示し、鍵保管状況はランプの点滅で表示する等により、表示器を省略してもよい。
【００１４】
実施の形態２．
図２はこの発明の実施の形態２によるキーボックス装置の構成を示すブロック図である。図において、１〜１０は実施の形態１で説明した図１と同等なので、符号の説明と動作の説明は省略する。但し、本実施の形態の表示器６は後述のようにカメラ映像も表示するので、例えば大型液晶表示器等が好ましい。
【００１５】
本実施の形態では、建物内の監視区域にカメラ１１ａ〜１１ｎが設置されている。監視区域とカメラ設置場所の具体例として、例えば部屋周辺の監視区域として部屋内の火元周辺，部屋内の電源スイッチ，部屋の入り口周辺とし、エレベータ周辺の監視区域では、エレベータ乗り場周辺，エレベータかご内，行き先階階床等とする。キーボックス装置には設置されたカメラ１１ａ〜１１ｎに対応してカメラとの間でデータを送受するカメラＩ／Ｆ１２ａ〜１２ｎが備えられている。
【００１６】
次に動作について説明する。鍵を出し入れする操作は実施の形態１と同様であり、鍵を取り出す場合は、利用者はＩＤ番号と鍵保管窓番号とを入力し鍵保管窓３ａ〜３ｎの該当する番号の鍵保管窓を開き鍵２を取り出すと、ＣＰＵ１はエレベータＩ／Ｆ１０を通じエレベータ行先階登録装置９に指示してエレベータを呼び出し、鍵保管番号に対応する部屋の階床を行先階としてエレベータ行先階登録装置９に自動で登録する。鍵を収納時は、利用者はＩＤ番号と鍵の保管窓番号を入力し該当する番号の鍵保管窓を開いて鍵２を収納する。
【００１７】
ここで、本実施の形態による発明では、鍵取り出し時には、鍵保管窓番号の入力によりカメラＩ／Ｆを通じその鍵保管窓番号に対応する部屋の監視区域に設置したカメラと利用するエレベータの監視区域に設置したカメラから映像を選択して取り込み、例えば大型液晶画面で構成する表示器６に、保管状態の「鍵無」の表示がされると同時に、エレベータ乗り場，エレベータかご内，行先階階床，部屋の入り口周辺の映像を表示する。
【００１８】
また、鍵収納時にも同様にカメラ１１から映像を取り込んで、表示器６に保管状態「鍵有」の表示をすると同時に、鍵保管窓番号に対応する部屋内の火元周辺部や屋内の電源スイッチの入り切りの映像を呼び出して表示する。
【００１９】
なお、監視区域や具体的なカメラ設置場所は監視する建物に合わせ適宜決定するが、どのカメラの映像を選択し呼び出すかも、建物の規模や配置から適宜決定すればよい。
【００２０】
以上のように、本実施の形態の発明によれば、鍵の取り出しおよび保管時に、対応する部屋内外および利用するエレベータ内外の映像を表示器に表示するようにしたので、実施の形態１の効果に加え、鍵取り出し時に不審者の有無を確認でき、鍵収納時には部屋内の安全を確認できる。
【００２１】
実施の形態３．
図３はこの発明の実施の形態３によるキーボックス装置の構成を示すブロック図である。図において、１〜１０は実施の形態１で説明した図１と同等なので、符号の説明と動作の説明は省略する。但し、表示器６は実施の形態２と同様にカメラの映像を表示するので、例えば大型液晶表示器等で構成する。本実施の形態では、ＬＡＮ１３によって結ばれたネットワークカメラ１４ａ〜１４ｎが建物内の監視区域に設置されている。ネットワークカメラ１４の監視区域と具体的な設置場所は、実施の形態２で説明した図２のカメラ１１の場合と同様である。キーボックス装置側にはＬＡＮ１３と接続されたＬＡＮＩ／Ｆ１５が備えられている。
【００２２】
次に動作について説明する。鍵の取り出しおよび収納操作は実施の形態２で説明したものと同等なので説明は省略する。また、鍵の取り出しおよび収納時に、鍵保管窓番号に対応する部屋内外または利用するエレベータ内外の映像を表示器６に表示するのも実施の形態２と同等であるが、本実施の形態のネットワークカメラ１４ａ〜１４ｎはＬＡＮ１３で結ばれており、鍵の取り出しおよび収納時に、入力手段５から入力した情報に対応した領域に設置したネットワークカメラ１４からの映像を、ＬＡＮＩ／Ｆ１５を通じて取り込み表示するように構成されている。
【００２３】
以上のように、本実施の形態の発明によれば、ＬＡＮで接続されたネットワークカメラからの映像をＬＡＮＩ／Ｆにより取り込むようにしたので、複数のカメラから映像を取り込む場合、複数のカメラＩ／Ｆを必要とせずＬＡＮＩ／Ｆのみでよいので、実施の形態２の効果に加え、装置全体を小型化することができる。
【産業上の利用可能性】
【００２４】
このキーボックス装置は、例えばマンション等のビル管理装置や建物内のテナントの管理装置に適用できる。
【図面の簡単な説明】
【００２５】
【図１】この発明の実施の形態１におけるキーボックス装置の構成を示すブロック図である。
【図２】この発明の実施の形態２におけるキーボックス装置の構成を示すブロック図である。
【図３】この発明の実施の形態３におけるキーボックス装置の構成を示すブロック図である。
【符号の説明】
【００２６】
１  ＣＰＵ                              ２ａ〜２ｎ  鍵
３ａ〜３ｎ  鍵保管窓                    ４  鍵保管窓Ｉ／Ｆ
５  入力手段                            ６  表示器
７  メモリＡ                            ８  メモリＢ
９  エレベータ行先階登録装置          １０  エレベータＩ／Ｆ
１１ａ〜１１ｎ  カメラ                  １２ａ〜１２ｎ  カメラＩ／Ｆ
１３  ＬＡＮ                            １４ａ〜１４ｎ  ネットワークカメラ
１５  ＬＡＮＩ／Ｆ。
【図１】
2005082309.tif 000003
【図２】
2005082309.tif 000004
【図３】
2005082309.tif 000005